(57)【特許請求の範囲】
【請求項１】
ドアの扉と枠体に取り付ける丁番において、扉に固定するベース金具と、調整金具と、丁番の羽根を有し、前記ベース金具を扉の吊元側の厚み方向部分に取り付け、前記調整金具を扉面と垂直方向のみに移動可能なようにベース金具に装着し、さらに丁番の羽根の取り付け部分を扉面と平行になるようにＬ型に曲げ、前記丁番の羽根を扉面と平行方向のみに移動可能なように調整金具に装着したことを特徴とする建付け調整機能付き丁番。
【請求項２】
前記ベース金具と前記調整金具との固定位置は互いに面と面が当接した状態になっており、前記調整金具と前記丁番の羽根の取り付け部分との固定位置も互いに面と面が当接した状態になっており、かつネジにより締めこまれた状態で面どうしが完全に密着して固定されることを特徴とする請求項１に記載の建付け調整機能付き丁番。
【請求項３】
前後調整ネジを扉面に対して垂直方向に配置し、前後調整ネジを回しても調整金具に対して位置が変化せず空回りするように前後調整ネジの頭部を調整金具に装着し、前後調整ネジの雄ネジ部分をベース金具の雌ネジ部分に螺合し、調整金具とベース金具との固定を解除した後に扉の正面側から前後調整ネジを回すことにより、ベース金具に対して調整金具が前後方向に移動するように構成したことを特徴とする請求項１又は２に記載の建付け調整機能付き丁番。
【請求項４】
左右調整ネジを扉面に対して平行方向に配置し、左右調整ネジを回しても丁番の羽根に対して位置が変化せず空回りするように左右調整ネジの頭部を丁番の羽根に装着し、左右調整ネジの雄ネジ部分を調整金具の雌ネジ部分に螺合し、調整金具と丁番の羽根との固定を解除した後に扉の厚み方向面側から左右調整ネジを回すことにより、調整金具に対して丁番の羽根が左右方向に移動するように構成したことを特徴とする請求項１及至３いずれかに記載の建付け調整機能付き丁番。
【請求項５】
調整金具の扉面と平行な面と、丁番の羽根の扉面と平行にL型に曲げられている部分に、回動可能な歯車部材と歯付き長孔を設け、互いの歯の部分を係合させて配置し、調整金具と丁番の羽根との固定を解除した後で該歯車部材を回転させることにより調整金具に対して丁番の羽根を左右方向に移動可能とし、左右方向の調整のための操作面が扉面側になり、扉を閉じた状態での左右調整を可能とすることを特徴とする請求項１及至３いずれかに記載の建付け調整機能付き丁番。
【発明の詳細な説明】
【０００１】
【発明の属する技術分野】
本発明は建付け調整が可能な丁番に関するものである。
【０００２】
【従来の技術】
丁番の羽根は扉面に対して直角に取り付けるのが一般的であり、扉や枠体の厚み方向面に密着して取り付けることにより高い保持力を持たせることが出来る。ところが図８に示すように、左右調整機能を有している丁番は扉の厚み面の一点を基準として丁番の羽根と扉の厚み面との角度を両側からネジで挟み込むことにより左右に変化させ、丁番の羽根部分は扉の厚み方向面から浮いた状態で軸部分を移動させて調整する機構のものが大部分であり、さらにこの状態のままで羽根を扉面に対して前後方向に滑らせて前後調整を実施する。
【０００３】
【発明が解決しようとする課題】
上記のような左右調整方法では当然丁番の羽根と扉の間に空間が生じることになり羽根の面が浮いた状態で複数の取り付けネジにて両側から挟み込むだけの保持力しか期待できず、保持強度に欠点がある。又ネジの頭のような小さい面積部分で保持しようとするために強く固定すると丁番の羽根が変形し反り返ってしまう危険性もある。こうなるといくら強くネジを締めこんでも羽根の変形が大きくなるだけで保持力は強まらない。
【０００４】
また丁番の羽根を支点にして軸部分をシーソーのように動かす調整方法であるために、調整する方向の固定ネジをあらかじめ調整する分だけ緩めておくなどの感覚による目分量的な前準備を含む多数のネジを緩めたり締め付けたりする作業が必要であると共に、さらに調整後に完全に固定する段階でも締め付けるネジに順序があるために非常に操作が困難であり、微妙な調整は難しい。
【０００５】
左右調整を実施した後の結果としても移動した軸部分の位置は機構的に丁番の羽根の一点を基準にした回転運動であるために、左右移動に伴って微妙に前後方向の位置も変化してしまうことが挙げられる。基準位置のときが最も扉と枠体の戸当たり部分との間隔が広い状態であり、大きく左右に調整するほど丁番の軸心は戸当たり側に前後移動することになり左右調整をしたために前後まで調整しなければならなくなることが考えられる。
【０００６】
前後及び左右調整のための操作部分はドアの吊元側の厚み方向面に位置するために全ての調整に対して扉を９０°近く開けた状態で実施しなければならなく、調整の度に一旦扉を閉め、丁番の軸が見える側からの扉と枠体の隙間やラッチ錠の掛かり具合の確認作業が必要であり、微調整の段階などでは調整作業と確認作業の繰り返しになり非常に煩雑である。
【０００７】
本発明は上記事項を解決すべくなされたものであり、取り付け部分がすべて面と面が密着した状態になり強固な固定が出来、かつ調整の際には左右と前後の調整が独立して実施出来、左右調整が扉の前後の位置に干渉しないと共に、少ないネジの操作にて調整を可能とし、調整後の確認作業に対して扉の開け閉めをなるべく少なく出来るような建付け調整機能付き丁番を提供することを目的とする。
【０００８】
【課題を解決するための手段】
本発明では上記目的を達成するために次の技術手段を設けた。扉あるいは枠体の調整に必要な機構が納まる部分に掘り込みを施し、掘り込みの奥の厚み方向面にベース金具を取り付ける。ベース金具に取り付ける扉の厚み方向面部分とドア面と平行な丁番を取り付ける面部分両方を有する調整金具を設け、該ベース金具に対してドア面と垂直方向のみに直線移動可能なように該調整金具を取り付ける。さらに羽根の取り付け部分をＬ型に曲げた丁番を該調整金具のドア面と平行な面に左右方向のみに直線移動可能に取り付ける。
【０００９】
前後調整ネジを、調整金具に保持されているにもかかわらず頭部が空回りし調整金具に対しての位置が変化しない状態で扉面に対して垂直方向に設け、雄ネジ部分はベース金具に螺合させる。調整金具とベース金具は調整金具取り付けネジにて固定されており、該調整金具取り付けネジを少し緩めてから前後調整ネジを回転させるとベース金具に対して調整金具が前後方向に移動する。同様に左右調整ネジを、丁番の羽根に保持されているにもかかわらず頭部が空回りし丁番の羽根に対しての位置が変化しない状態でドア面に対して平行方向に設け、雄ネジ部分は調整金具に螺合させる。調整金具と丁番の羽根は丁番取り付けネジにて固定されており、該丁番取り付けネジを少し緩めてから左右調整ネジを回転させると調整金具に対して丁番の羽根が左右方向に移動する。
【００１０】
左右方向の調整においては、前記のネジ方式以外にも調整金具のドア面と平行な部分と丁番の羽根のドア面に平行に曲げられた部分で、丁番の羽根部分に歯車部材を回動自在に設け、さらに調整金具に歯付き長孔を設け、歯車部材と歯付き長孔を互いに係合させ、ドアの正面側からの歯車部材の回転操作を可能にする方法がある。
【００１１】
このような構成にすることにより枠体に扉を調整機構部分を介して強固に固定することが可能で、かつ耐久性に優れ、調整時の作業性が良く、調整後の扉と枠体の位置関係の確認が簡単で、左右調整を実施しても丁番の軸の前後位置が変化しない建付け調整機能付き丁番を提供することが出来る。
【００１２】
【発明の実施の形態】
以下図面に基づいて本発明の実施の形態を説明する。図１にドアの外観図を示す。扉１と枠体２からなり、丁番により吊元側の上下二箇所にて扉を保持する。丁番は上羽根３と下羽根４からなり片方の羽根を枠体２に固定し、もう一方の羽根を扉に固定し軸部分に差し込むことにより扉１を枠体２に吊り込む。建付け調整は丁番の上下羽根のどちらか片方にて実施し、扉１若しくは枠体２の調整側の取り付け部分に調整機構挿入用掘り込み７を設ける。調整機構挿入用掘り込み７内に納まるようにベース金具５、調整金具６及び丁番の羽根を組み込み、扉１を吊り込み、調整をした後で調整機構部分に樹脂カバー２６を被せるとよい。
【００１３】
次に調整機構部分を扉１の吊元側に設定した状態で各部分に付いて詳しく説明する。図２に調整機構部分の分解斜視図を示す。プレート状のベース金具５を調整機構挿入用掘り込み７の奥に扉の厚み方向に面してベース金具取り付けネジ９により取り付ける。ベース金具５の上下に調整金具取り付け用ネジ孔１０を設け、さらに一部を扉面に対して平行方向となるように曲げ、その面上に前後調整用ネジ孔１２を設ける。
【００１４】
ベース金具５と同方向の面を上下に有したコの字形状の調整金具６を設け、ベース金具５と同方向の面に前後調整用長孔１５を有し、上下端部分にベース金具５の上下両端を抱き込むように直角に曲げた前後移動触れ止め部分１４を設け、前後調整用長穴１５を通して調整金具取り付けネジ１１にて調整金具取り付け用ネジ孔１０に螺合しベース金具５に固定する。調整金具取り付けネジ１１を少し緩めると前後調整用長孔１５の長さ範囲にて前後調整が可能となり、ベース金具５の上下両端と前後移動触れ止め部分１４のクリアランスが小さいほど前後移動の際の傾きも少なくなり、かつ荷重を前後移動触れ止め部分１４の曲げのコーナー部分で受けるために直接調整金具取り付けネジ１１に全荷重がかからず、扉の厚み方向面同志の密着さえ出来ればよく、上下２本の調整金具取り付けネジ１１で充分な保持力が得られる。
【００１５】
調整金具６の中央部分に扉１と平行な面を設け、その面上の上下２箇所に羽根取り付け用ネジ孔１７と中央部分に前後調整ネジ用皿孔１６とを設ける。前後調整ネジ用皿孔１６は、皿頭の前後調整ネジ１３を挿入したときに面より少し沈み込むようにしておく必要があり、ベース金具５に固定した際にベース金具５の前後調整用ネジ孔１２との位置が適合するようにし、前後調整ネジ１３の雄ネジ部分を前後調整用ネジ孔１２に螺合する。さらに調整金具６に左右調整用ネジ孔１８を有した扉の厚み方向面と平行な部分をコの字形状の内側に設けておく。
【００１６】
丁番の上羽根３の取り付け部分を軸部分から一定のところでＬ型に曲げておき扉面と平行になるようにすると、調整金具６の中央部分の扉１と平行な面と同一面になり、この面に羽根取り付け用ネジ孔１７と適合する位置に左右調整用長孔２１を上下に２箇所設ける。また、前後調整ネジ用皿孔１６に前後調整ネジ１３が挿入され、さらに上羽根３が取り付いた状態で頭の十字孔が扉の正面側から操作できるように上羽根３にＵ字溝２４を設けておく。さらに、上羽根３の上下端を調整金具６の中央部分に位置するコの字部分を抱き込むように直角に曲げてなる左右移動振れ止め部分２０を備えておくとよい。前後移動触れ止め部分１４の場合と同様に荷重をこの部分で受けると共に傾きを抑える役割も果たし、２本の羽根取り付けネジ２２にて左右調整用長孔２１を通して羽根取り付け用ネジ孔１７に螺号し、密着させて固定するのみで充分に保持することが可能である。
【００１７】
左右調整ネジ１９には図４−１に示すように頭部に凹溝２５を備えてあり、上羽根３のＬ型に曲げた部分より奥側に扉の厚み方向と平行な部分を設け、この部分に左右調整ネジ１９の凹溝２５を挿入できるような頭部嵌め込み用溝２３を設ける。上羽根３を調整金具６に取り付け、頭部嵌め込み用溝２３に左右調整ネジ１９を嵌め込んだときに調整金具６の左右調整用ネジ孔１８に左右調整ネジ１９の雄ネジ部分が螺合できるように頭部嵌め込み用溝２３を位置するとよい。
【００１８】
図３にドアの扉側に調整部分を取り付けた状態の横断面図を示す。前後調整ネジ１３は扉１の正面から操作し、左右調整ネジ１９は扉１の厚み方向面から操作することになり、左右調整は扉１をある程度大きく開いた状態での操作になる。上羽根３は前後左右に移動するために樹脂カバー２６は移動する部分を開けておくとよい。前後及び左右の調整の原理を図４に示す。図４−１は左右調整ネジ１９の頭部に凹溝２５を設け、上羽根３の頭部嵌め込み用溝２３に嵌め込む事により頭部は空回りし、調整金具６の左右調整用ネジ孔１８への雄ネジ部分の螺合により相対的に位置を変える方法であり、図４−２は前後調整ネジ１３の頭部を上羽根３と調整金具６の二枚のプレート部分で挟み込んで同様に頭部を空回りさせる方法によるものである。
【００１９】
図５は扉１に調整部分を取り付けた状態の正面図である。扉１への取り付け時は全ての部材が基準位置に固定されており、扉１を吊り込んだ後左右調整が必要な場合は２本の羽根取り付けネジ２２を少し緩め、調整金具６と上羽根３を左右移動可能にし、左右調整ネジ１９を扉を開いた状態で回転させると左右位置を調整することが出来る。適当な位置に調整後緩めてある二本の羽取り付けネジ２２を再度締め付け固定すればよい。図６は扉１に調整部分を取り付けた状態での側面図である。同様に、二本の調整金具取り付けネジ１１を少し緩め、ベース金具５と調整金具６を前後移動可能にし、前後調整ネジ１３を扉１の正面から回転させると前後位置を調整することが出来る。両方向共動きは単独な直線運動であり相互に干渉することはなく、どちらの調整時にも振れ止め部分により傾きが規制されるため、各一本の調整ネジでスムーズな調整が可能となる。取り付けネジも各方向に２本ずつのみでよく操作としては約半回転緩め、調整後締めるだけの少ない操作で済む。
【００２０】
しかしながら、左右調整における前記の方法は扉を開いた状態での扉１の厚み方向面での操作になり微調整の段階などで必要とされる扉1を開けたり閉めたりしての確認作業は施工性の低下の要因になると考えられる。吊り込んだ状態の扉位置の判断は扉１を閉じた状態で枠体２との隙間を扉１の正面側から確認するのが一番早い方法である。そこで次に左右調整を扉１が閉じた状態のままで可能とする方法を説明する。
【００２１】
図７に左右調整を扉１が閉じた状態で正面から実施する機構の調整金具６と上羽根３の取り付け部分図を示す。前記にて説明した左右調整ネジ１９を主とする左右調整に関係する部分を排除し、調整金具６に円孔２９を、上羽根３に歯付き長孔２８を設け、調整金具６の円孔２９に適合する位置にピン部分３０を有し上部に扇型の歯車部分を有した歯車部材２７を挿入し、互いの歯の部分をかみ合わせる。歯車部材２７をピン部分３０を中心に回転可能なようにすることにより調整金具６に対して上羽根３を左右に調整することが出来る。歯車部材２７を回転させる手段としては、歯車部材２７の正面側のピン部分３０と同心位置で、十字孔を設けドライバーにて回すか、六角頭部を設けスパナ等で回すか、六角凹部を設けレンチにて回す等の方法があるが、羽根取り付けネジ２２を締め付けるときにも保持しておきやすい方法にするとよい。
【００２２】
図示はしないが、上記の他にも二枚のプレートを前面から操作することにより左右に移動させる方法であるなら、二個の円盤を中心をずらせて重ねたような形状の偏心部材を調整金具６に設けた円孔と上羽根３に設けた角孔に係合させる方法や、二個の同一面上を直交する長孔内を二本のピンが同時に回転することにより対数曲線上を移動させる方法等、どのような方法を調整金具６と上羽根３に適応させてもよい。
【００２３】
【発明の効果】
調整側の羽根の取り付け部分を扉面と平行に曲げ、扉に対して平行な面と厚み方向面を両方有するコの字型の調整金具６を設けることにより、ベース金具、調整金具、丁番の羽根を互いにネジにより固定する取り付け部分が全て面と面が密着した状態に出来、お互いに強力な締め付けが可能になるとともに扉の保持も確実になり耐久性に優れた建付け調整機能付き丁番を提供できる。
【００２４】
ベース金具、調整金具、及び丁番の羽根を取り付ける際に互いに抱き合わせるように曲げ込まれた前後移動振れ止め部分や左右移動振れ止め部分を設けることにより組み合わせた状態で曲げのコーナー部分が荷重を受けるため、取り付けネジの締め付け力のみに頼ることなく扉を保持することが出来、左右方向及び前後方向に各二本ずつの取り付けネジを締め込むのみで充分な保持力が得られる。また、調整の操作性においても左右方向及び前後方向で各二本ずつの取り付けネジを少しだけ緩め、一本の調整ネジを回すことにより調整でき、緩めてある各二本ずつの取り付けネジを締め込むだけの少ない操作のみで扉の建付け調整が可能となる。
【００２５】
ベース金具と調整金具により扉面に対して前後方向に、調整金具と丁番の羽根により扉面に対して左右方向に、各々単独に完全に直線運動し、左右方向の調整をすることにより前後方向の位置が微妙に変化することもなく、互いに全く干渉しないために確実な建付け調整が簡単に行える。
【００２６】
左右調整を扉面の正面側から扉を閉じた状態で可能とした歯車部材を使用したタイプ等では、前後調整と共に全ての作業が扉を閉じた状態で枠体との隙間寸法を目視にて確認しながらの調整が可能となり、従来の扉の厚み方向面での調整の扉を開け閉めしながらの調整方法に比べて比較にならないほどの作業性の向上が見込める。
【図面の簡単な説明】
【図１】本発明の建付け調整付き丁番を取り付けたドアの外観図を表す。
【図２】本発明の建付け調整付き丁番の分解斜視図である。
【図３】本発明の建付け調整付き丁番の納まり状態の横断面図である。
【図４】本発明の建付け調整付き丁番の左右及び前後の調整ネジによる調整方法の模式図である。
【図５】本発明の建付け調整付き丁番の納まり状態の正面図である。
【図６】本発明の建付け調整付き丁番の納まり状態の側面図である。
【図７】本発明の建付け調整付き丁番の歯車部材を用いて扉の正面から左右調整を行うタイプの斜視図である。
【図８】従来の扉の厚み方向面で丁番の羽根の取り付け角度を変化させて調整するタイプの横断面図である。
【符号の説明】
１    扉
２    枠体
３    上羽根
４    下羽根
５    ベース金具
６    調整金具
７    調整機構挿入用掘り込み
８    ベース金具取り付け孔
９    ベース金具取り付けネジ
１０    調整金具取り付け用ネジ孔
１１    調整金具取り付けネジ
１２    前後調整用ネジ孔
１３    前後調整ネジ
１４    前後移動振れ止め部分
１５    前後調整用長孔
１６    前後調整ネジ用皿孔
１７    羽根取り付け用ネジ孔
１８    左右調整用ネジ孔
１９    左右調整ネジ
２０    左右移動振れ止め部分
２１    左右調整用長孔
２２    羽根取り付けネジ
２３    頭部嵌め込み用溝
２４    Ｕ字溝
２５    凹溝
２６    樹脂カバー
２７    歯車部材
２８    歯付き長孔
２９    円孔
３０    ピン部分
【図１】
0003976983.tif 000002
【図２】
0003976983.tif 000003
【図３】
0003976983.tif 000004
【図４】
0003976983.tif 000005
【図５】
0003976983.tif 000006
【図６】
0003976983.tif 000007
【図７】
0003976983.tif 000008
【図８】
0003976983.tif 000009